(57)【要約】  本発明は、第１の発光層１０５と第１の発光層１０５上に配されている第１の電極１０９とを有する第１の発光ダイオード１０１（特に、有機発光ダイオード）と、第１の発光ダイオード１０１上に配されている第２の発光ダイオード１０３（特に、有機発光ダイオード）であって、第２の発光層１１３と第２の発光層１１３上に配されている透光性な第２の電極１１７とを有する第２の発光ダイオード１０３とを有する発光ダイオード装置に関する。
2011517081.tif 000002
【特許請求の範囲】
【請求項１】
第１の発光層と前記第１の発光層上に配されている第１の電極とを有する第１の発光ダイオードと、
前記第１の発光ダイオード上に配されている第２の発光ダイオードであって、第２の発光層と前記第２の発光層上に配されている透光性の第２の電極とを有する第２の発光ダイオードと、
を有する発光ダイオード装置。
【請求項２】
前記第１の電極は、透光性又は非透光性である前記第１の発光層上に配されている、請求項１に記載の発光ダイオード装置。
【請求項３】
前記第１の発光層は、第１の波長の光を発し、前記第２の発光層は、前記第１の波長とは異なる第２の波長の光を発する、請求項１又は２に記載の発光ダイオード装置。
【請求項４】
前記第１の発光層は、第１の基板上に配されており、前記第２の発光層は、第２の基板上に配されており、前記第１の基板及び前記第２の基板は透明である、請求項１乃至３の何れか一項に記載の発光ダイオード装置。
【請求項５】
前記第１の発光層及び前記第２の発光層は、共通基板の対向する側の上方に配されており、又は前記第１の発光層は、第１の基板の第１の表面の上方に配されており、前記第２の発光層は、第２の基板の第２の表面の上方に配されており、前記第１の基板の第２の表面は、前記第２の基板の第２の表面に対向している、請求項１乃至４の何れか一項に記載の発光ダイオード装置。
【請求項６】
前記第１の発光ダイオードは、前記第１の発光層に面している第１の表面を持つ第１の透明なシール要素を有し、前記第２の発光ダイオードは、前記第２の発光層に面している第１の表面を持つ第２の透明な封止要素を有しており、前記第１の透明な封止要素の第２の表面は、前記第２の透明な封止要素の第２の表面に対向している、請求項１乃至１０の何れか一項に記載の発光ダイオード配置。
【請求項７】
前記第１の発光層は、第１の基板電極上に配されており、前記第２の発光層は、第２の基板電極上に配されており、前記第１の基板電極は、前記第１の発光ダイオードによって発されることが可能な発光パターンに対応する形状を持っており、前記第２の基板電極は、前記第２の発光ダイオードによって発されることが可能な発光パターンに対応する形状を持っている、請求項１乃至６の何れか一項に記載の発光ダイオード装置。
【請求項８】
前記第１の発光層は、第１の基板電極上に配されており、前記第２の発光層は、第２の基板電極上に配されており、前記第１の基板電極及び前記第２の基板電極は、対応する発光層上に少なくとも部分的に延在しており、前記第１の基板電極及び前記第２の基板電極は、前記第１の基板電極又は前記第２の基板電極への独立な接触を可能にする非重複部分を提供するように配されている、請求項１乃至７の何れか一項に記載の発光ダイオード装置。
【請求項９】
互いの上に配されている複数の発光ダイオードを有し、前記複数のダイオードのうちの外側のダイオードは、発光層上に配されている非透明電極を含んでおり、他の各ダイオードは、それぞれ発光層上に配されている透明電極を有している、請求項１乃至８の何れか一項に記載の発光ダイオード装置。
【請求項１０】
第１の発光層と前記第１の発光層上に配されている第１の電極とを有する第１の発光ダイオードを製造するステップと、
前記第１の発光ダイオード上の第２の発光ダイオードであって、第２の発光層と前記第２の発光層上に配されている透明な第２の電極とを有する第２の発光ダイオードを製造するステップと、
を有する発光ダイオード装置を製造する方法。
【発明の詳細な説明】
【技術分野】
【０００１】
本発明は、発光ダイオードに関し、より詳細には、有機発光ダイオードに関する。
【背景技術】
【０００２】
発光ダイオード、特に、有機発光ダイオード（ＯＬＥＤ）は、表示又は照明に適しているだけでなく、例えば、発光パターンによって決定される光信号の形態において情報を知らせる（signaling）のにも使用されることができる。しかしながら、既知の発光ダイオードは、例えば、或る情報を一方向に表すような、１つのパターンのみを発することを可能にする。従って、このような発光ダイオードは、従来の標識として使用されることができるのみである。異なる情報を表す異なるパターンを発するために、例えば、液晶表示器のような、複合表示器装置が、使用されることができる。しかしながら、表示器装置は、より高価であり、付加的な制御装置を必要とする。
【発明の概要】
【発明が解決しようとする課題】
【０００３】
米国特許第２００５／００５７１４９Ａ１号には、当該装置の同じポートの１つの対向する側に配されている２つのＯＬＥＤ表示器を持つ表示電子装置を開示しており、この第１の表示器は、主に第１の方向に情報を示し、この第２の表示器は、前記第１の方向に対向する第２の方向に情報を示す。
【０００４】
本発明の目的は、異なるパターンを同じ方向に発することができる発光ダイオード装置を提供することにある。
【課題を解決するための手段】
【０００５】
この目的は、添付の独立請求項に記載のフィーチャによって達成される。
【０００６】
本発明は、上述の識別された問題が、互いの上に少なくとも２つの発光ダイオードを配することによって解決されることができるという発見に基づくものであり、少なくとも１つの前記発光ダイオードは、他の発光ダイオードの発せられた光に対する透過性を有する。従って、前記発光ダイオードが、例えば、互いに積層されている場合、第１のダイオードによって発される光は、前記第１のダイオードに関連付けられている光パターン又は前記第１のダイオードによって発される或る色が見えるように、例えば、前記第１のダイオードよりも上方に配されている前記第２のダイオードを形成している透過性の構造を通過することができる。従って、複数の色又はパターンを同じ方向に表示するために、複数の透光性（translucent）のダイオード（一例として、好ましくは有機発光ダイオードである）が、使用されることができる。この複数の発光ダイオードは、製造プロセスが簡単で安価であるように、例えば、透明（transparent）な粘着剤を使用して一緒に接着されることができる。
【０００７】
ピクセル配向の表示器に関する本発明の概念の有利な点は、発光領域及び非発光ピクセルが設けられていることにある。例えば、関心のある領域全体にわたって発光する赤色の停止信号が、ピクセルベースの不規則さを伴うことなく、提供されることができる。対応する効果を表示器ベースの装置によって達成するためには、高い解像度を備える微細なピクセル分布が必要であるが、これは、高価である。
【０００８】
本発明は、第１発光層と、前記第１の発光層上に配されている第１の電極（例えば、上部電極）とを有する第１の発光ダイオード（特に、有機発光ダイオード）と、前記第１の発光ダイオード上に配されている第２の発光ダイオード（特に、有機発光ダイオード）であって、第２の発光層と前記第２の発光層上に配されている透明である第２の電極（例えば、上部電極）とを有する第２の発光ダイオードとを有する発光ダイオード装置に関する。更に、第１の基板上に配されている第１の底部電極と、第２の基板上に配されている第２の底部電極とが、設けられることができる。
【０００９】
一実施例によれば、前記第１の発光層上に配されている第１の電極は、透明又は非透明である。
【００１０】
一実施例によれば、前記第１の発光層は、第１の波長の光を発し、前記第２の発光層は、前記第１の波長とは異なる第２の波長の光を発する。
【００１１】
一実施例によれば、前記第１の発光層は第１の基板上に配され、前記第２の発光層は、前記第２の基板上に配され、前記第１の基板及び前記前記第２の基板は、透明である。
【００１２】
一実施例によれば、前記第１の発光層及び前記第２の発光層は、共通基板の対向する側の上方に配されており、又は前記第１の発光層は、第１の基板の第１の表面の上方に配されており、前記第２の発光層は、第２の基板の第２の表面の上方に配されており、前記第１の基板の第２の表面は、前記第２の基板の第２の表面に対向している（特に、接続している）。
【００１３】
一実施例によれば、前記第１のダイオードは、前記第１の発光層に面している第１の表面を持つ第１の透明な封止要素を有しており、前記第２のダイオードは、前記第２の発光層に面している第１の表面を持つ第２の透明な封止要素を有しており、前記第１の透明な封止要素の第２の表面は、前記第２の透明な封止要素の第２の表面に対向している（特に、接続している）。
【００１４】
一実施例によれば、前記第１の発光層は、第１の基板電極上に配され、前記第２の発光層は、第２の基板電極上に配され、前記第１の基板電極は、前記第１の発光ダイオードによって発されることができる光パターンに対応する形状を有しており、前記第２の基板電極は、前記第２の発光ダイオードによって発されることができる発光パターンに対応する形状を有している。
【００１５】
一実施例によれば、前記第１の発光層は、第１の基板電極上に配され、前記第２の発光層は、第２の基板電極上に配され、前記第１の基板電極及び前記第２の基板電極は、
対応する発光層上に少なくとも部分的に延在しており、前記第１の基板電極及び前記第２の基板電極は、前記第１の基板電極及び前記第２の基板電極への独立な接触を可能にする非重複部分を提供するように配されている。
【００１６】
一実施例によれば、当該発光ダイオード装置は、互いの上に配されている複数の発光ダイオードを有しており、この複数のダイオードのうちの外側のダイオードは、発光層上に配されている非透明電極を有しており、他の各ダイオードは、それぞれ、発光層上の透明電極を有している。
【００１７】
本発明は、更に、発光ダイオード装置を製造する方法に関する。当該方法は、第１の発光層と前記第１の発光層上に配されている第１の電極とを有する第１の発光ダイオード（特に、有機発光ダイオード）を製造するステップと、前記第１の発光ダイオード上の、第２の発光層と前記第２の発光層上の透明な第２の電極とを有する第２の発光ダイオードを製造するステップとを有する。
【図面の簡単な説明】
【００１８】
【図１】発光ダイオード装置を示している。
【図２ａ】発光ダイオード装置によって発されるパターンを示している。
【図２ｂ】発光ダイオード装置によって発される他のパターンを示している。
【図３】発光ダイオード装置を示している。
【発明を実施するための形態】
【００１９】
本発明の更なる実施例は、添付図面を参照して、以下に記載される。
【００２０】
図１は、第１のダイオード１０１及び第２のダイオード１０３を有する発光ダイオード装置を開示している。この第１のダイオードは、基板層１０８上に配されている１つ以上の発光層１０５（例えば、有機発光層）を有している。更に、第１の電極１０７は、基板層１０８上に設けられ、第２の電極１０９は、発光層１０５の表面上に設けられる。この第１のダイオード１０１は、被覆１１１によって封止されても良い。
【００２１】
第２の発光ダイオード１０３は、第１の発光ダイオード１０１上に配され、これに対応して、基板電極１１５上に配されている１つ以上の発光層１１３（例えば、有機発光層）を有している。発光層１１３は、電極１１７によって覆われており、被覆１１９が、前記第２の発光ダイオードを封止する又は覆うように設けられる。基板電極１１５は、基板上１２１に配される。図１に示されているように、基板１０８及び１２１は、背中合わせに配されており、粘着層１２３が設けられることができる。しかしながら、第１のダイオード１０１及び第２のダイオード１０３は、透明であり得る同じ層の対向する側に設けられることができる。
【００２２】
第１のダイオード及び第２のダイオード１０１、１０３は、同じ光のスペクトル又は異なる光のスペクトルを発する有機発光ダイオードであり得る。
【００２３】
基板１０８及び１２１、又はこれらの基板を形成する共通基板は、光に対して透明であり得て、ガラス又は透明なプラスチック材料を有することができる。基板電極１０７及び１１５は、透光性を有し導電性であり得て、底部電極を形成するように配されることができる。基板電極１０７及び１１５は、一例として、酸化インジウムスズ（ＩＴＯ）から成ることができる。この発光層１０５及び１１３は、有機発光層であり得て、第１のダイオード１０１と関連付けられている発光層１０５を覆っている電極１０９は、一例として、蒸発されたアルミニウム（vaporizated aluminum）によって作られ得る。被覆１１１及び１１９は、対応するダイオードが、空気にさらされるのを防止する。更に、被覆１１１及び被覆１１９は、水分を吸収するためのゲッター材料を有し得る。
【００２４】
第２のダイオード１０３は、例えば、緑色の光を発するように、第１のダイオード１０１と異なる波長の光を発することができる。第１のダイオード１０１と異なり、第２の発光ダイオード１０３は、透光性、即ち前記第１のダイオード又は前記第２のダイオードによって発される光に対して透明である。第２のダイオード１０３の上部電極１１７は、好ましくは透光性のものであり、一例として、銀又はアルミニウムの薄い透明な金属薄膜から成る。更に、被覆１１９も、透光性のものである。
【００２５】
一例として、第１の及び第２のダイオード１０１及び１０３は、一例として、基板１２１又は基板１０８の屈折率に対応する屈折率を有する粘着層１２３を介して接続される。更に、ダイオード１０１及び１０３は、対応する底部電極１０７及び１１５が独立に接触されることができるように、配されている。図１に示されているように、底部電極１０７及び１１５は、この電極を互いに対して変位することによって達成されることができる非重複部分を有している。
【００２６】
１つの見地によれば、底部電極１０７及び１１５は、対応するダイオード１０１及び１０３によって発されるべきパターンを規定している異なる構造を有することができる。
【００２７】
図２Ａ及び２Ｂは、それぞれ、一例として、"ｓｔｏｐ"又は"ｇｏ"なる語を形成する光パターンを生成している底部電極の異なる形状を示している。
【００２８】
図２Ａは、一例として、第１のダイオード１０１の底部電極１０７を形成することができる底部電極２０１の構造を表している。この電極２０１は、例えば、或る標識又は或るシンボルを形成するように構造化されているＩＴＯ電極であり得る。このＩＴＯ電極２０１は、第１のダイオード１０１の電極１０９に対応する透光性の発光、有機層２０３及び上部電極２０５によって覆われている。更に、上部電極２０５に接触するための接触領域２０７が、照明領域の外側に設けられる。
【００２９】
図２Ｂは、対応して、図１の第２の発光ダイオード１０３を形成することができる発光ダイオードを示している。これに対応して、前記発光ダイオードは、標識又はシンボルの形状を提供するように形成されている図１の電極１１５に対応する透明なＩＴＯ電極２０９を有する。底部ＩＴＯ電極２０９は、図１の層１１３に対応する発光、有機層２１１によって覆われており、有機層２１１は、この発光領域の外側に配される接触領域２１５を介して接触されることができる前記電極に対応する上部電極２１３によって覆われている。
【００３０】
図２Ａ及び２Ｂに示されているように、対応する底部電極２０１及び２０９は、それぞれ、対応する底部電極２０１及び２０９の側方に配されていると共に金属薄膜を含み得る接触領域２０７及び２１５によって接触されることができる。有機層２０３及び２１１は、好ましくは、対応する底部電極２０１及び２０９の構造化された領域の上方に配されている。しかしながら、有機層２０３及び２１１は、更に、対応する底部電極２０１及び２０９の構造化されたパターンを形成するように配されることもできる。１つの見地によれば、有機層２０３及び２１１は、有機層２０３及び２１１が電極間の領域において主に励起されるので、長方形の領域を形成するように配されることができる。
【００３１】
この底部電極２０１及び２０９は、異なる語、標識、数又はシンボルを提供するように異なる形状を形成するように配されることができる。例えば、前記ｓｔｏｐの信号は、赤色であり得て、前記ｓｔｏｐの標識は、緑色であり得る。更に、歩いている又は静止している歩行者、停止信号、緑色の矢印、例えば、建物内の訪問客のための或る方向を示している矢印が提供されることができる。
【００３２】
図３は、互いの上に配されている複数の発光ダイオード（例えば、有機発光ダイオード）を表している。一例として、第１の発光ダイオード３０１、第２の発光ダイオード３０３及び第３の発光ダイオード３０５が、設けられる。
【００３３】
図３に示されているダイオードは、更なる情報を示すために互いの上に積層されているＯＬＥＤであり得る。この場合、好ましくは、最も外部のＯＬＥＤのうちの１つを除いた全ての発光ダイオードが、透明である。
【００３４】
図３に示されているダイオードは、図１に表されているダイオードに対応している。従って、第１のダイオード３０１は、基板３１７、基板３１７上に配される基板電極３１９と、基板電極３１９上に配されている発光層３２１と、好ましくは有機発光層３２１上に配されている上部電極３２３とを有している。
【００３５】
第２の発光ダイオード３０３は、背中合わせの構造を形成するように基板３１７の表面上に配されている基板３２５を対応して有しており、粘着層３２７が、更に設けられることが出来る。基板３２５上に、この上に好ましくは有機発光層３３１が配される基板電極３２９が、設けられる。更に、発光層３３１の表面上に配される上部電極３３２が、設けられる。
【００３６】
発光層３３１及び上部電極３３２は、例えば、この上に透明なガラス被覆３３５が設けられる薄い薄膜カプセル封入３３３によって封止される。
【００３７】
第３の発光ダイオード３０５は、対応して、この上に基板電極３３９が配される基板層３３７を有している。発光層３４１は、基板電極３３９上に配されており、上部電極３４３によって覆われている。更に、発光層３４１と、上部電極３４３と、底部電極３３９の少なくとも一部とは、薄い薄膜絶縁層３４５によって封止されている。薄い薄膜層３４５上に、透明被覆は、設けられている。第２のダイオード３０３及び第３のダイオード３０５は、透明な被覆３３５及び３４７が互いに接触するように配されている。
【００３８】
従って、ダイオード３０１は、封止されており、発光層３２１及び上部電極３２３を封止している薄い薄膜被覆３４９を有しており、透明な被覆３５１が設けられている。一例として、第２のダイオード３０３は、同様に封止するために基板電極３２９の変位を補償するための変位部分３５３を有し得る。電極３３９、３２９及び３１９は、これらの電極の各々への独立な接触を可能にするように配されている。更に、各ダイオード３０１、３０３及び３０５を横向きに封止している封止部分３５３が、設けられる。
【００３９】
この薄い薄膜カプセル封入３４５、３３３及び３４９は、対応するダイオードを積み重ねることを容易にするように配されている。各薄膜の被覆は、水密薄膜を形成することができる。更に、ガラス被覆は、カプセル封入の目的のために使用されることができる。このようなガラス被覆は、ゲッター材料を有する粘着剤を使用している対応するＯＬＥＤに取り付けられることができる。更に、不浸透性の粘着剤は、如何なるゲッター材料も含んでいない粘着領域の周りに配されることができる。代替的には、対応するガラス被覆が、少なくとも２つの粘着フレームを使用している対応するＯＬＥＤに粘着されることができる。更に、一例として、内側の粘着ストリップはゲッター材料を含み得るのに対し、外側の粘着ストリップは、一例として、如何なるゲッター材料も含まない。
【図１】
2011517081.tif 000003
【図２ａ】
2011517081.tif 000004
【図２ｂ】
2011517081.tif 000005
【図３】
2011517081.tif 000006
【国際調査報告】
2011517081.tif 000007
2011517081.tif 000008